(57)【要約】【課題】グリップの断面寸法が画一的な市販のラケットに対して、経験年数やプレースタイル等の異なる多くのプレーヤーのグリップ断面形状についての種々な要求に的確に応えることが可能なラケット用グリップ断面寸法調整部材を提供する。【解決手段】寸法調整部材２５は、曲げ変形自在な長尺状の薄板２５ａからなり、グリップ本体１７のラケット１０の打球面１４に対して直角な相対向する一対の直角面１９、あるいは打球面１４に対して平行な相対向する一対の平行面１８側に重ね合わせて所定枚数貼り付けられて寸法調整される。【選択図】図４
2016106842.tif 000002
【特許請求の範囲】
【請求項１】
打球面を囲むフレームと、該フレームに取りつけられた把持するための長尺角棒形状のグリップ本体の外周面にグリップテープが巻回されてなるグリップとを有するラケットに用いられるグリップ断面寸法調整部材であって、
前記グリップ本体の前記ラケットの打球面に対して直角な相対向する一対の直角面側又は打球面に対して平行な相対向する一対の平行面側に重ね合わせて貼り付けられる少なくとも一枚の曲げ変形自在な長尺状の薄板であることを特徴とするラケット用グリップ断面寸法調整部材。
【請求項２】
前記グリップ本体の貼り合わせ面の断面形状に合わせて折り曲げられていることを特徴とする請求項１に記載のラケット用グリップ断面寸法調整部材。
【請求項３】
前記グリップ本体の貼り合わせ面の断面形状に近似した湾曲状に曲げられていることを特徴とする請求項１に記載のラケット用グリップ断面寸法調整部材。
【請求項４】
ナイフで容易に切削可能な材料製であることを特徴とする請求項１から３のいずれか１項に記載のラケット用グリップ断面寸法調整部材。
【請求項５】
打球面を囲むフレームと、該フレームに取りつけられた把持するための長尺角棒形状のグリップ本体の外周面にグリップテープが巻回されてなるグリップとを有するラケットにおいて、
前記グリップ本体の前記ラケットの打球面に対して直角な相対向する一対の直角面側又は打球面に平行な相対向する一対の平行面側に、少なくとも一枚の曲げ変形自在な長尺状の薄板であるグリップ断面寸法調整部材が重ね合わせて貼り付けられていることを特徴とするラケット。
【請求項６】
前記グリップ断面寸法調整部材は、前記グリップ本体の貼り合わせ面の断面形状に合わせて折り曲げられていることを特徴とする請求項５に記載のラケット。
【請求項７】
前記グリップ断面寸法調整部材の断面形状が、前記グリップ本体の貼り合わせ面の断面形状に近似した湾曲状に曲げられていることを特徴とする請求項５又は６に記載のラケット。
【請求項８】
前記グリップ断面寸法調整部材の材料が、ナイフで容易に切削可能なものであることを特徴とする請求項５から７のいずれか１項に記載のラケット。
【発明の詳細な説明】
【技術分野】
【０００１】
本発明は、打球面を囲むフレームと、フレームに取り付けられた把持するためのグリップとを有するラケットにおけるグリップ断面の横方向寸法や縦方向寸法を調整するラケット用グリップ断面寸法調整部材、及びこれを用いたラケットに関する。
【背景技術】
【０００２】
テニス用のラケットは、特許文献１に示すように、打球面を囲むフレームと、把持するための長尺棒状で断面略八角形状のグリップ本体の外周面にグリップテープが巻回されてなるグリップとを有している。グリップの握り方としては、大まかにコンチネンタルグリップとイースタングリップとウエスタングリップとに分けられる。コンチネンタルグリップは、ラケットを包丁と同じように握る握り方である。イースタングリップは、ラケットを左手で持ち、右手をラケットの打球面に当ててそのまま右手をグリップまで移動させて握る握り方である。一方、ウエスタングリップは、ラケットを地面に置き、上から真直ぐにグリップを握る握り方であり、一般的には軟式テニス用のラケットの握り方とされている。硬式テニスでは、フォアハンドストローク、バックハンドストローク、ボレー、スマッシュのような打球方法があり、それぞれの打球方法に応じてグリップの握り方を変更する必要があり、握り方を変更する毎に適正な握り方をする必要がある。このため、グリップ断面の形状としては、適正な握り方であることを瞬時に認識できる形状であることが望ましい。
【０００３】
硬式テニスの場合、打球の際に、ラケットの打球面を地面に対して略垂直にするのが基本とされており、これにより打球の高さが安定するといわれている。イースタングリップの場合、手の平が打球面に対して平行となるため、握りが安定しやすくかつ手の平でボールを打つ感覚に近いといわれている。そのため、硬式テニスの場合、握り位置が安定しやすいイースタングリップは、初級者や練習量の少ないアマチュアのプレーヤー向きであると言える。イースタングリップを用いる場合、グリップの断面の寸法はラケットの打球面に対して直角な相対向する一対の直角面間の寸法（横方向寸法）が、打球面に平行な相対向する一対の平行面間の寸法（縦方向寸法）に対して１．１５倍以上が望ましいと考えられる。
【０００４】
一方、硬式テニスの場合、ラケットの握りをイースタングリップからウエスタングリップの方向に変更することにより、打球の際に力が入りやすく、且つ球に回転をかけやすくなることが知られている。そのため、練習量の多いベテランのプレーヤーにとっては、打球の威力を高められることから、イースタングリップとウエスタングリップの中間であるセミウエスタングリップの採用が多くなってきている。練習量が多いベテランプレーヤーにとっては、握りを変更しても、長年の練習によって打球面を地面に対して垂直に保つことができるのである。セミウエスタングリップを用いる場合は、握りの変更が簡単なようにグリップの横方向寸法と縦方向寸法の比をイースタングリップの場合より小さくすることが好まれている。多くのプロのトッププレーヤーが、グリップの横方向寸法と縦方向寸法の比の小さいラケットを用いてセミウエスタングリップやウエスタングリップを採用していることから、このようなトッププレーヤーの使用するラケットに人気が集まっている。そのために、近年販売されている硬式テニス用ラケットでは、グリップの横方向寸法と縦方向寸法の比が１．１３〜１．１４程度に小さくなっている。
【０００５】
しかし、このようにグリップの横方向寸法と縦方向寸法の比が小さいと、練習量の少ないアマチュアのプレーヤーにとっては、グリップを握った際に、打球方法に適した握り方で握れているか否かを認識し難いために、握り変えを行っている間に打球面がわずかにずれた握りとなる場合が生じる。その結果、打球面も安定しないためにボールの飛行高さを安定させることができず、ボールがネットを超えないミスやベースラインをオーバーするミスにつながり易かった。一方、セミウエスタングリップやウエスタングリップを採用しているベテランのプレーヤーの一部の人達にとっても、横方向寸法と縦方向寸法の比を１．１３〜１．１４から変化させた方が使い易いラケットになるとも考えられるが、好みに合ったグリップ断面寸法のラケットが販売されていないため、好みの形状から多少ずれたラケットを使用せざるを得ないという状況にある。このように、テニス技術のレベルの差や、シングルスやダブルス等の使用目的の違いや、プレースタイルの違い等々から最適なグリップ断面形状は異なるにもかかわらず、市販のラケットはグリップ断面形状が画一的なため、多くのプレーヤーの種々な要求に的確に応えることは困難であった。
【先行技術文献】
【特許文献】
【０００６】
【特許文献１】特開２０１２−１１５３９２号公報
【発明の概要】
【発明が解決しようとする課題】
【０００７】
本発明は、上記問題を解決しようとするもので、グリップの断面寸法が画一的な市販のラケットに対して、経験年数やプレースタイル等の異なる多くのプレーヤーの要求に的確に応えることが可能なラケット用グリップ断面寸法調整部材及びラケットを提供することを目的とする。
【課題を解決するための手段】
【０００８】
上記目的を達成するために、本発明の構成上の特徴は、打球面を囲むフレームと、フレームに取りつけられた把持するための長尺角棒形状のグリップ本体の外周面にグリップテープが巻回されてなるグリップとを有するラケットに用いられるグリップ断面寸法調整部材であって、グリップ本体のラケットの打球面に対して直角な相対向する一対の直角面側又は打球面に対して平行な相対向する一対の平行面側に重ね合わせて貼り付けられる少なくとも一枚の曲げ変形自在な長尺状の薄板であることにある。なお、ラケットとしては、硬式テニス用の他、軟式テニス用、バトミントン用等がある。また、グリップ本体の直角面や平行面については、通常は平坦な面であるが、わずかに凹凸のある面についても含まれるものとする。グリップ断面寸法調整部材の重ね合わせ及び直角面や平行面への貼り付けについては、粘着剤により行われることが好ましいが、接着剤を用いることも可能である。
【０００９】
上記のように構成した本発明においては、グリップ本体のラケットの打球面に対して直角な相対向する一対の直角面側にグリップ断面寸法調整部材を貼り付けることにより、打球面に平行な方向のグリップ断面の寸法（横方向寸法）を長くなるように調整することができる。例えば、硬式テニス用ラケットでは、打球面に直角な方向のグリップ断面の寸法（縦方向寸法）に対して横方向寸法が通常は長くなっているが、横方向寸法をさらに長くすることができる。そのため、イースタングリップを採用する硬式テニスの初級者等にとって、グリップの打球面に対して平行な面の寸法が長くなり、この平行面に手の平が当たるので、適正な握り方で握っていることを認識しやすく、かつ手の平でボールを打つ感覚に近くなる。その結果、本発明によれば、練習量の少ないアマチュアのプレーヤーでも、打球の際に、ラケットの打球面を地面に対して略垂直にしやすくなり、これにより打球の高さを安定させることができる。
【００１０】
一方、打球面に平行な相対向する一対の平行面側にグリップ断面寸法調整部材を貼り付けることにより、打球面に直角な方向のグリップ断面の寸法（縦方向寸法）を長くなるように調整することができ、硬式テニス用ラケットでも縦方向寸法を通常とは逆に横方向寸法より長くすることもできる。その結果、硬式テニスのベテランプレーヤー達にとっては、ウエスタングリップで握り易くなる。また、硬式テニスに限らず、軟式テニス等のラケットにおいて、グリップ本体の直角面や平行面にグリップ断面寸法調整部材を適当な厚さで貼り合わせることにより、経験年数やプレースタイル等の異なる多くのプレーヤーのグリップ断面形状に対する種々の要求に的確に応えることができる。
【００１１】
本発明において、グリップ断面寸法調整部材は、グリップ本体の貼り合わせ面の断面形状に合わせて折り曲げられていることが好ましい。グリップ本体の断面形状は通常は長方形の四隅が切欠かれた八角形状となっているが、グリップ断面寸法調整部材を予めこれに合わせて加工しておくことにより、多少堅めの材料でもグリップ本体への貼り合わせを容易に行うことが可能になる。
【００１２】
本発明において、グリップ断面寸法調整部材は、グリップ本体の貼り合わせ面の断面形状に近似した湾曲状に曲げられていることが好ましい。これにより、グリップ断面寸法調整部材が多少堅めの材料でもグリップ本体への貼り合わせを容易に行うことが可能になると共に、湾曲状に曲げられていることにより貼り合わせ面の多少の寸法の違いにも対応が可能である。
【００１３】
本発明において、グリップ断面寸法調整部材をナイフで容易に切削可能な材料製とすることが好ましい。これにより、グリップ断面寸法調整部材を貼り付ける際の多少の位置ずれや、グリップ本体との寸法のずれによるグリップ断面寸法調整部材のはみ出し等があったとき、余分な突出部分をナイフで簡単に除去することができる。
【００１４】
本発明の他の特徴は、打球面を囲むフレームと、フレームに取りつけられた把持するための長尺角棒形状のグリップ本体の外周面にグリップテープが巻回されてなるグリップとを有するラケットにおいて、グリップ本体のラケットの打球面に対して直角な相対向する一対の直角面側又は打球面に平行な相対向する一対の平行面側に、少なくとも一枚の曲げ変形自在な長尺状の薄板であるグリップ断面寸法調整部材が重ね合わせて貼り付けられていることにある。他の特徴においては、予めグリップ本体の直角面又は平行面に一枚以上の薄板であるグリップ断面寸法調整部材が貼り付けられているため、ラケット所有者が、使用目的やプレースタイル等に合わせるように寸法調整部材の枚数を増減させることにより、簡単に所望のグリップ断面形状に調整することができる。
【００１５】
他の特徴においても、グリップ断面寸法調整部材は、グリップ本体の貼り合わせ面の断面形状に合わせて折り曲げられていることが好ましく、又はグリップ本体の貼り合わせ面の断面形状に近似した湾曲状に曲げられていることが好ましい。さらに、グリップ断面寸法調整部材の材料が、ナイフで容易に切削可能なものであることが好ましい。
【発明の効果】
【００１６】
本発明においては、グリップ断面寸法が画一的な市販のラケットのグリップにグリップ断面寸法調整部材を貼り合わせることにより、グリップ断面の横方向や縦方向の寸法を簡単に調整することができるため、経験年数やプレースタイル等の異なる多くのプレーヤーの要求に的確に応えることができる。
【図面の簡単な説明】
【００１７】
【図１】本発明の実施例１である硬式テニス用ラケットを概略的に示す一部破断正面図である。
【図２】グリップテープを巻く前のラケットの一部を示す（ａ）正面図及び（ｂ）平面図である。
【図３】同ラケットのグリップ本体を拡大して示す正面図である。
【図４】同ラケットのグリップ本体を拡大して示す図３のＩＶ−ＩＶ線方向の部分断面図である。
【図５】薄板を三枚重ね合わせたグリップ断面寸法調整部材を示す（ａ）平面図、（ｂ）正面図及び（ｃ）側面図である。
【図６】グリップ断面寸法調整部材をグリップ本体に貼り付ける行程の一部を概略的に説明する説明図である。
【図７】グリップ断面寸法調整部材をグリップ本体に貼り付ける行程の一部を概略的に説明する説明図である。
【図８】変形例である薄板を三枚重ね合わせたグリップ断面寸法調整部材を示す（ａ）平面図、（ｂ）正面図及び（ｃ）側面図である。
【図９】変形例２であるグリップ断面寸法調整部材を示す正面図である。
【図１０】実施例２であるグリップ断面寸法調整部材についてグリップ本体への貼り付け前（ａ）と貼り付け後（ｂ）とを示す底面図である。
【発明を実施するための形態】
【００１８】
以下、本発明の実施形態について図面を用いて説明する。図１は実施例１である硬式テニス用ラケットを一部破断正面図により示し、図２はラケットの一部を正面図及び平面図により示し、図３、図４はグリップ本体を正面図及び部分断面図により示したものである。硬式テニス用ラケット１０（以下、ラケット１０と記す。）は、長円形状のフレーム１１と、グリップ１６とを備えている。
【００１９】
フレーム１１は、エポキシ樹脂複合材料等よりなり、長円形状のヘッド部１２と、その長軸方向一端側に連結されて長軸方向に延設されたシャフト部１３とを設けている。シャフト部１３は、ヘッド部１２の長軸を挟んだ両側から延びた２本の棒状部分がグリップ１６側で一体となった三角形状のいわゆるオープンスロート形態となっている。ただし、シャフト部についてはオープンスロートに限らず、一本の真直ぐな棒状のものであってもよい。フレーム１１は、樹脂一体成形により形成されている。ヘッド部１２には図示しないストリングが縦方向及び横方向に張り付けられており、これにより平面をなす打球面１４が形成されている。
【００２０】
グリップ１６は、断面八角形のウレタン樹脂等よりなる真直ぐな棒状のグリップ本体１７と、グリップ本体１７のヘッド部１２に対する反対端である後端側に装着されるエンドキャップ２２と、グリップ本体１７及びエンドキャップ２２の外周に巻回される例えば幅２５ｍｍの帯状に形成されたポリウレタン樹脂の片面に粘着材が付着されたグリップテープ２３とを備えている。グリップ本体１７は、打球面１４に対して平行な互いに対向する一対の平行面１８と、打球面１４に対して直角な互いに対向する一対の直角面１９とを有しており、平行面１８と直角面１９の境界部分が平行面１８に対して略４０°〜４５°の傾斜で切欠かれた傾斜面２１になっている。例えば、直角面１９間の寸法（横方向寸法）Ｌｈが略３３．５ｍｍ、平行面１８間の寸法（縦方向寸法）Ｌｖが２９．５ｍｍであり、両者の比Ｌｈ／Ｌｖが１．１３５となっている。市販の硬式テニス用ラケットでは、比Ｌｈ／Ｌｖ＝１．１３〜１．１４のものが主流となっている。グリップ本体１７は、内端側に軸方向に凹んだ図示しない取付孔を設けており、この取付孔にシャフト部１３が端部側にて嵌着されてシャフト部１３に一体で固定されている。実施例１では、一対の直角面１９にそれぞれ薄板状のグリップ断面寸法調整部材２５（以下、寸法調整部材と記す。）が薄板２５ａを３枚重ね合わせて貼り付けられている。
【００２１】
寸法調整部材２５は、グリップ本体１７の全長に合わせた長さの長方形長尺板を幅方向両側で折り曲げたものであり、図５に示すように、グリップ本体１７の直角面１９及びその両側の傾斜面２１の形状に合わせて折り曲げられた中央部２６とその両側の傾斜部２７とからなる台形状に加工されている。また、寸法調整部材２５の長手方向両端側は、６０°程度の角度で切欠かれた傾斜部２８となっている。寸法調整部材２５は、ゴム弾性体、弾性体エラストマー、柔軟性を有する樹脂材料、樹脂に木屑や繊維屑等を混ぜ合わせた樹脂複合材、粘着テープ等、曲げ変形自在であり且つカッターナイフ等で容易に切削が可能な材料により成形されたものである。実施例１では、寸法調整部材２５は、寸法調整のために厚さ１ｍｍ弱程度の薄板２５ａを粘着剤で３枚貼り合わせた形態となっているが、直角面１９間の横方向寸法を調整するために貼り付けられる薄板２５ａの枚数が調節されるようになっている。図４に示すように、グリップ本体１７の両直角面１９側に寸法調整部材２５が貼り付けられた状態では、直角面間の横方向寸法Ｌｈ'が略３９ｍｍに延ばされて、比Ｌｈ'／Ｌｖが１．２８と大きくなっている。比Ｌｈ'／Ｌｖについては、プレーヤーの好みに応じて１．１５以上の値になるように適宜調整される。
【００２２】
つぎに、市販のラケット１０のグリップ１６Ａに対して、寸法調整部材２５を使用する方法について図６、図７を用いて説明する。
まず、グリップ１６Ａ（図６（ａ））のグリップ本体１７及びエンドキャップ２２に巻回されたグリップテープ２３を取り外して、グリップ本体１７を露出させる（図６（ｂ））。つぎに、グリップ本体１７全長の一対の直角面１９側に寸法調整部材２５を配置し（図６（ｃ））、寸法調整部材２５の３枚の薄板２５ａの中央部を重ね合わせて直角面１９に粘着剤で貼り付け、さらに薄板２５ａの両側をグリップ本体１７の傾斜面２１に重ね合わせて貼り付ける（図７（ａ））。その後、グリップ本体１７及びエンドキャップ２２に再びグリップテープ２３を巻回させることにより、寸法調整部材２５の取り付けが終了する（図７（ｂ））。
【００２３】
さらに、使用者はグリップ１６を握って、握りの感覚を確かめ、寸法が不十分であれば上記手順を繰り返して、寸法調整部材２５の薄板２５ａの枚数を増やしたり減らしたりすることにより、グリップ１６の横方向寸法を自己に最適な寸法に調整することができる。実施例１では、薄板２５ａを３枚貼り合わせて寸法調節しているが、薄板２５ａを２枚にしたり、１枚としたりあるいは４枚以上とすることもできる。
【００２４】
上記実施例１においては、グリップ本体１７のラケット１０の打球面１４に対して直角な相対向する一対の直角面１９側に寸法調整部材２５を粘着剤で貼り付けることにより、図４に示すように打球面１４に平行な方向のグリップ本体１７の横方向寸法Ｌｈを所望の長さＬｈ'になるように調整することができる。そのため、特に練習量の少ない硬式テニスのアマチュアのプレーヤー等がイースタングリップでストロークを打つ際に、手の平がグリップ１６の打球面１４に対して平行な寸法が大きくなった平行面１８に当たるため、ラケット１０が適正に握られているかを認識しやすくなる。さらに、プレーヤーが手の平でボールを打つ感覚に近くなるので、より確実にボールを打つことができるようになる。また、ボレー、サービス、スマッシュの際に必要となるコンチネンタルグリップで握る際には、寸法が大きくなった平行面１８に親指が平行になるように握ることによって適正なグリップとなる。以上のように、実施例１によれば、初級者や練習量の少ないアマチュアのプレーヤーでも、打球の際に適正な握り方をしやすくなり、ミスの少ないストロークやショットを行うことができる。
【００２５】
また、実施例１においては、寸法調整部材２５は、グリップ本体１７の貼り合わせ面の断面形状に合わせて台形状に折り曲げられていることにより、多少堅めの材料でもグリップ本体１７への貼り合わせを容易に行うことが可能になる。寸法調整部材２５は、台形状の幅方向両端が垂直に揃えられているため、寸法調整部材２５を傾斜面２１側に廻り込ませて貼り付けたときにその幅方向両側において無用な凹凸の発生が抑えられる。また、寸法調整部材２５がナイフで容易に切削可能な材料製であることにより、寸法調整部材２５を貼り付ける際の多少の位置ずれや、グリップ本体１７との寸法のずれによる寸法調整部材２５のはみ出し等があったとき、余分な突出部分をナイフで簡単に除去することができる。
【００２６】
つぎに、実施例１の変形例について説明する。
変形例の寸法調整部材２５Ａは、図８に示すように、実施例１の寸法調調整部材２５と同様に幅方向が台形形状に曲げられているが、中央部２６とその両側の傾斜部２７との間が円弧状に曲げられた湾曲部２９になっている。このように、寸法調整部材２５Ａを湾曲状に曲げたことにより、寸法調整部材２５Ａが多少堅めの材料でもグリップ本体１７への貼り合わせを容易に行うことが可能になると共に、湾曲状に曲げられていることにより貼り合わせ面すなわちグリップサイズの多少の寸法の違いにも柔軟に対応が可能である。また、同一寸法の寸法調整部材２５を、グリップ本体１７の直角面１９側に貼る場合と後述するような平行面１８側に貼る場合との両方が可能になる。
【００２７】
また、実施例１の寸法調整部材２５の変形例２として、図９に示すように、同一形状の薄板２５ａを重ね合わせたものの上側の中央部２６に、中央部のみで傾斜部の無い平坦な薄板２５ｂを重ね合わせて寸法調整部材２５Ｂとすることもできる。これにより、寸法変更面を盛り上がらせて、好みの断面形状に変更することができる。同様に、寸法調整部材２５Ａについても、中央部側のみへの重ね合わせも可能である。
【００２８】
つぎに、実施例２について、図１０を用いて説明する。
実施例２では、実施例１に代えて、グリップ本体１７の打球面１４に平行な相対向する一対の平行面１８側に３枚の薄板３１ａを貼り合わせたグリップ断面寸法調整部材３１を重ね合わせて貼り付けるようにしたものである。寸法調整部材３１は、グリップ本体１７の全長に合わせた長さの長方形長尺板を幅方向両側で折り曲げたものであり、図１０に示すように、グリップ本体１７の平行面１８及びその両側の傾斜面２１の形状に合わせて折り曲げられた中央部３２とその両側の傾斜部３３とからなる台形状に加工されている。寸法調整部材３１は、打球面１４に垂直な方向のグリップ本体１７の縦方向寸法Ｌｖを寸法Ｌｖ'と長くなるように調節するようにしたものである。
【００２９】
実施例２のラケットについては、グリップ本体１７の縦方向寸法Ｌｖ'が横方向寸法Ｌｈより長い、従来のラケット（Ｌｈ＞Ｌｖ）とは逆転したものとすることもできる。この場合、従来のラケットは、打球面とグリップの長寸法面が平行であるのに対して、実施例２のラケットは、打球面とグリップの長寸法面が直角となる。このようなラケットの利点は、つぎの通りである。従来のラケットをウエスタングリップで握った場合、親指と人差し指を大きく開くことになり、両指の角部とグリップ本体１７の図６（ａ）に示す面２４が当たる部分に三角柱状の隙間ができることになる。そのため、試合において重要な部分を占めるとみられるフォアハンドストロークにおいて、不安定性を生む原因になっていると考えられる。
【００３０】
これに対して、実施例２で得られる縦方向寸法Ｌｖ'が横方向寸法Ｌｈより長いラケットをウエスタングリップで握った場合、親指と人差指でできる角部とグリップの図１０（ｂ）に示すテープで覆われた中央部３２表面とでできる三角柱状の隙間は小さくなり、フォアハンドストロークの安定性が増すと考えられる。以上のように、実施例２においては、寸法調整部材３１を平行面１８に厚さを調整しながら貼り付けることにより、従来のラケットとは打球面とグリップの長寸法面の関係が９０°回転したラケットを好みに応じて作成できるという利点もある。このようなラケットは、ウエスタングリップを好むベテランプレーヤーに適していると考えられる。実施例２では、手のサイズが通常であるプレーヤーの場合、グリップ本体のサイズが通常より小さいつまり縦横方向寸法Ｌｖ，Ｌｈが通常より小さめのラケットを選択して断面形状の変更を行うことが好ましく、これにより握りやすいグリップ断面形状が得られやすい。なお、実施例２においては、必要に応じて縦方向寸法Ｌｖ'が横方向寸法Ｌｈより短いような調整も勿論可能である。
【００３１】
以上のように、実施例１，２においては、グリップ断面寸法が画一的な市販のラケットに対して、寸法調整部材２５，２５Ａ，２５Ｂ，３１をグリップ本体１７の直角面１９や平行面１８に貼り合わせることにより、グリップ断面の横方向や縦方向の寸法を簡単に調整することができるため、経験年数やプレースタイル等の異なる多くのプレーヤーの要求に的確に応えることができる。
【００３２】
なお、実施例１，２においては、硬式テニス用のラケットについて説明されているが、これに限らず、軟式テニス、バドミントン等のラケットにおいても、使用目的やプレースタイルがまちまちな多くのプレーヤーのグリップサイズに対する種々な要求に的確に応えられるという同様の効果が得られる。また、上記実施例１，２においては、ラケットの使用者が寸法調整部材をグリップ本体に貼り付けながら寸法調節する態様について説明したが、グリップ本体に予め所定枚数の寸法調整部材を貼り付けた状態のラケットが販売されるような商品形態も考えられる。このようなラケットについては、ラケットの使用者が、寸法調整部材を剥がしたり、重ねて貼り合わせたりすることにより、自己の要求に合わせた寸法調整を行うことができる。この場合は、グリップ本体１７に巻かれたグリップテープ２３を端部側で止めるテープ止め等に調整部材の名称と枚数を表示することにより、調整部材の有無や内容が明確にされる。
【００３３】
上記実施例１，２においては、寸法調整部材は、グリップ本体への貼り合わせを容易にするために幅方向が台形形状や湾曲形状に曲げられているが、これに代えて単に平板状のもの、又は凹凸面とすることもできる。また、上記実施例１，２においては、グリップ本体は全体がストレートな形状であるが、これに代えてシャフト部の近傍側で徐々に細くされたような形状のものであってもよい。さらに、テニスグリップの形状、寸法、材質等についても、実施例１，２に限るものではない。その他、上記各実施例については一例であり、本発明の趣旨を逸脱しない範囲において種々変更して実施することができる。
【符号の説明】
【００３４】
１０…ラケット、１１…フレーム、１４…打球面、１６…グリップ、１７…グリップ本体、１８…平行面、１９…直角面、２５，２５Ａ，２５Ｂ，３１…グリップ断面寸法調整部材。
【図１】
2016106842.tif 000003
【図２】
2016106842.tif 000004
【図３】
2016106842.tif 000005
【図４】
2016106842.tif 000006
【図５】
2016106842.tif 000007
【図６】
2016106842.tif 000008
【図７】
2016106842.tif 000009
【図８】
2016106842.tif 000010
【図９】
2016106842.tif 000011
【図１０】
2016106842.tif 000012